(57)【要約】【課題】不使用時の電力消費を回避する。【解決手段】押しボタンスイッチＰＢ１　、リレーＺ、信号伝達素子としてのフォトカプラＰＨを備える電源制御回路１０を設ける。リレーＺは、マイクロコンピュータ２１ａの電源を投入状態に保持し、省電力モードへの移行条件が成立すると、マイクロコンピュータ２１ａにより復帰させる。【選択図】　図１
0003098818.tif 000002
【実用新案登録請求の範囲】
【請求項１】
マイクロコンピュータを含む制御装置の電源を投入する押しボタンスイッチと、前記マイクロコンピュータの電源を投入状態に保持するリレーと、前記マイクロコンピュータに対して前記押しボタンスイッチの再操作を伝達する信号伝達素子とを備えてなり、前記リレーは、前記マイクロコンピュータにより作動させ、省電力モードへの移行条件が成立すると前記マイクロコンピュータにより復帰させることを特徴とするシュレッダの電源制御回路。
【請求項２】
前記押しボタンスイッチ、リレーの接点は、前記制御装置用の電源トランスの一次側を開閉することを特徴とする請求項１記載のシュレッダの電源制御回路。
【請求項３】
前記押しボタンスイッチは、１接点のスイッチであることを特徴とする請求項１または請求項２記載のシュレッダの電源制御回路。
【請求項４】
前記信号伝達素子は、フォトカプラであることを特徴とする請求項１ないし請求項３のいずれか記載のシュレッダの電源制御回路。
【考案の詳細な説明】
【０００１】
【考案の属する技術分野】
この考案は、不要書類を細断して処理するシュレッダの電源制御回路に関する。
【０００２】
【従来の技術】
不要な事務書類を細断処理するシュレッダが広く普及している。
【０００３】
一般に、シュレッダは、「細断」、「停止」または「細断」、「停止／逆転」の２個の押しボタンスイッチを介し、カッタモータの正転・停止または正転・逆転・停止を手動制御するように構成されている（たとえば実用新案登録第３００９３８２号公報）。また、このものは、制御用のマイクロコンピュータを内蔵しており、マイクロコンピュータにより各押しボタンスイッチの押し操作を検出すると、細断すべき紙の投入、細断後の紙屑の蓄積、カッタモータの過熱、屑カゴの収納用スペースの扉の開閉などのシュレッダ本体側の状態に応じ、必要な動作を安全に実現するように構成されている。
【０００４】
【考案が解決しようとする課題】
かかる従来技術によるときは、制御用のマイクロコンピュータは、常時電源が投入され、細断すべき紙の投入や、「細断」の押しボタンスイッチの押し操作によって細断動作を開始するように待機しているから、不使用時における電力の浪費が無視できないという問題があった。なお、この問題を解決するために別に電源スイッチなどを設けるとすれば、コスト高となり、電源スイッチの切忘れを生じたり、操作の煩雑性が増したりするという新たな問題がある。
【０００５】
そこで、この考案の目的は、かかる従来技術の問題に鑑み、マイクロコンピュータの電源を投入状態に保持するリレーを設けることによって、従来の２個の押しボタンスイッチだけを使用して、不使用時の電力消費を適確に回避することができるシュレッダの電源制御回路を提供することにある。
【０００６】
【課題を解決するための手段】
かかる目的を達成するためのこの考案の構成は、マイクロコンピュータを含む制御装置の電源を投入する押しボタンスイッチと、マイクロコンピュータの電源を投入状態に保持するリレーと、マイクロコンピュータに対して押しボタンスイッチの再操作を伝達する信号伝達素子とを備えてなり、リレーは、マイクロコンピュータにより作動させ、省電力モードへの移行条件が成立するとマイクロコンピュータにより復帰させることをその要旨とする。
【０００７】
なお、押しボタンスイッチ、リレーの接点は、制御装置用の電源トランスの一次側を開閉することができる。
【０００８】
また、押しボタンスイッチは、１接点のスイッチとしてもよく、信号伝達素子は、フォトカプラとしてもよい。
【０００９】
【作用】
かかる考案の構成によるときは、制御装置内のマイクロコンピュータは、押しボタンスイッチを押し操作することにより電源が投入され、リレーを介して電源の投入状態が保持される。そこで、マイクロコンピュータは、信号伝達素子を介して伝達される押しボタンスイッチの再度の押し操作に対応して、または細断すべき紙の投入を検出して、カッタモータを起動して所定の細断動作を実行させることができる。また、マイクロコンピュータは、省電力モードへの移行条件が成立すると、リレーを自動復帰させることにより、自己を含む制御装置の電源を遮断して電力の浪費を防止することができる。
【００１０】
ただし、ここでいう省電力モードへの移行条件とは、たとえば、カッタモータが停止したまま５分間程度の設定時間以上に亘り、シュレッダ本体側における状態変化が何ら検出されないことをいう。また、ここでいう押しボタンスイッチは、従来の技術の項に説明した「細断」の押しボタンスイッチに相当している。
【００１１】
押しボタンスイッチやリレーの接点により制御装置用の電源トランスの一次側を開閉すれば、省電力モードにおいて、電源トランスの励磁電流をも遮断することができる。
【００１２】
押しボタンスイッチは、１接点のスイッチとすることにより、最も簡単な構造を採用することができる。また、信号伝達素子としてのフォトカプラは、電源トランスの一次側の高電圧回路に生じる押しボタンスイッチの再操作の信号をマイクロコンピュータに支障なく伝達することができる。
【００１３】
【考案の実施の形態】
以下、図面を以って考案の実施の形態を説明する。
【００１４】
シュレッダの電源制御回路１０は、押しボタンスイッチＰＢ１　、リレーＺ、信号伝達素子としてのフォトカプラＰＨを備えてなる（図１）。なお、電源制御回路１０は、制御装置２１用の電源トランスＴの一次側において、制御装置２１の電源を開閉制御することができ、制御装置２１には、マイクロコンピュータ２１ａが含まれている。
【００１５】
シュレッダ本体３０は、開閉扉３２付きの箱形のフレーム３１に対し、カッタモータＭを介して駆動するカッタ３３、開閉扉３２内に収納する屑カゴ３４を組み込んで構成されている（図２）。ただし、図２（Ｂ）は、同図（Ａ）のＸ−Ｘ線矢視相当断面図である。
【００１６】
フレーム３１の上面には、細断すべき紙を投入する投入口３５が形成されており、操作表示用のパネル３６が組み込まれている。なお、パネル３６には、「細断」、「停止／逆転」の各押しボタンスイッチＰＢ１　、ＰＢ２　が搭載され（図３）、「電源」、「停止中」、「細断可」、「放熱中」、「扉開放」、「屑満杯」の各表示ランプを配列する表示部３６ａが形成されている。また、シュレッダ本体３０には、たとえば開閉扉３２の開閉検出用、投入口３５に対する給紙検出用、屑カゴ３４内の紙屑検出用、カッタ３３を逆転させた際の投入口３５の押開き検出用などの図示しないセンサが付設されており、これらのセンサの各出力は、制御装置２１のマイクロコンピュータ２１ａに個別に導かれている。
【００１７】
電源制御回路１０は、商用電源ＡＣに接続するフレーム３１内のブレーカＣＢの出力側に分岐接続されている（図１）。また、ブレーカＣＢの出力側は、開閉回路２２、切替回路２３を介して可逆回転形のカッタモータＭに接続されている。ただし、開閉回路２２、切替回路２３は、それぞれ制御装置２１からの制御信号Ｓ２　、Ｓ３　を介し、カッタモータＭの起動停止制御、正逆転切替制御をすることができる。なお、ブレーカＣＢ、開閉回路２２の間には、カッタモータＭの電流を検出する電流検出器ＣＴが挿入されており、電流検出器ＣＴの出力は、適当な信号変換回路を経て、制御装置２１内のマイクロコンピュータ２１ａに接続されている。
【００１８】
電源制御回路１０において、電源トランスＴの一次側は、リレーＺの常開接点Ｚａ　を介してブレーカＣＢの出力側に接続されている。また、電源トランスＴの一次側には、リレーＺの常閉接点Ｚｂ　、抵抗Ｒ、フォトカプラＰＨの発光ダイオード側の直列回路が並列接続されている。なお、「細断」の押しボタンスイッチＰＢ１　は、１接点のスイッチであり、常開接点Ｚａ　、常閉接点Ｚｂ　に共通に並列接続されている。電源トランスＴの二次側は、フォトカプラＰＨの光電トランジスタ側の出力とともに、制御装置２１に接続され、リレーＺのコイル、パネル３６上の「停止／逆転」の押しボタンスイッチＰＢ２　、表示部３６ａの各表示ランプも、制御装置２１に接続されている。
【００１９】
ブレーカＣＢを投入して押しボタンスイッチＰＢ１　を押し操作すると、リレーＺの常閉接点Ｚｂ　を介して電源トランスＴの一次側に商用電源ＡＣが接続され、制御装置２１の電源が投入される。そこで、制御装置２１内のマイクロコンピュータ２１ａが起動し、マイクロコンピュータ２１ａは、リレーＺを作動させ、リレーＺは、常開接点Ｚａ　を介し、押しボタンスイッチＰＢ１　が復帰しても、制御装置２１、マイクロコンピュータ２１ａの電源を投入状態に保持することができる。すなわち、押しボタンスイッチＰＢ１　は、電源投入に際し、マイクロコンピュータ２１ａが起動し、リレーＺが作動するまで、たとえば数秒間押しつづけるものとする。
【００２０】
制御装置２１に電源が投入されると、表示部３６ａの「電源」の表示ランプが点灯し、マイクロコンピュータ２１ａが起動する。マイクロコンピュータ２１ａは、シュレッダ本体３０の運転状態を監視し、「停止中」、「細断可」、「放熱中」、「扉開放」、「屑満杯」の各表示灯を点消灯させ、またはフリッカさせることにより、シュレッダ本体３０の状態表示をすることができる。
【００２１】
そこで、たとえば、シュレッダ本体３０がすべて正常であり、細断動作が実行可能であるとき、マイクロコンピュータ２１ａは、「細断可」の表示ランプを点灯させるので、この状態で投入口３５に細断すべき紙を投入すれば、マイクロコンピュータ２１ａを介してカッタモータＭが自動起動し、細断処理を実行することができる。なお、カッタモータＭは、投入口３５に投入される紙が検出されなくなると、マイクロコンピュータ２１ａを介し、一定のオフディレイ時間後に自動停止する。また、オフディレイ時間中に追加の紙を投入口３５に投入すれば、細断動作を継続することができる。
【００２２】
細断中に紙詰りなどの不調が生じると、「停止／逆転」の押しボタンスイッチＰＢ２　を押し操作することにより、カッタモータＭを停止させることができる。このとき、「細断可」の表示ランプが消灯し、「停止中」の表示ランプがフリッカするので、「停止／逆転」の押しボタンスイッチＰＢ２　を再度押し操作すると、押し操作している間だけカッタモータＭが逆転し、「停止中」の表示ランプが消灯する。また、押しボタンスイッチＰＢ２　の押し操作を止めると、投入口３５に紙が投入されているか否かに応じて、「停止中」の表示ランプがフリッカし、または「細断可」の表示ランプが点灯する。
【００２３】
そこで、「停止中」の表示ランプがフリッカしているとき、「細断」の押しボタンスイッチＰＢ１　を押し操作すると、フォトカプラＰＨを介し、押しボタンスイッチＰＢ１　が再操作された旨の信号が制御装置２１内のマイクロコンピュータ２１ａに伝達され、マイクロコンピュータ２１ａは、「細断可」の表示ランプを点灯させる。すなわち、押しボタンスイッチＰＢ１　の再操作により、マイクロコンピュータ２１ａは、全体を正常な運転可能状態に復帰させることができる。なお、このとき、投入口３５に紙が投入されておれば、マイクロコンピュータ２１ａは、カッタモータＭを直ちに再起動させ、細断動作を実行させる。ただし、「停止中」の表示ランプは、前述の場合に加えて、たとえば細断中にカッタモータＭが過熱して自動停止した後、「放熱中」の表示ランプを点灯させて所定の放熱時間が経過した場合、屑カゴ３４用の開閉扉３２を閉じた場合などのように、シュレッダ本体３０が正規の細断動作に復帰可能な場合にフリッカするものとする。
【００２４】
一方、マイクロコンピュータ２１ａは、省電力モードへの移行条件が成立すると、リレーＺを復帰させる。なお、リレーＺが復帰すると、常開接点Ｚａ　が開き、制御装置２１、マイクロコンピュータ２１ａに対する電源が自動的に遮断され、「電源」を含む一切の表示ランプが消灯する。ただし、マイクロコンピュータ２１ａは、たとえば、カッタモータＭの停止状態において、投入口３５に紙が投入されないまま、設定時間（たとえば５分間）以上に亘って開閉扉３２の開閉検出用、屑カゴ３４内の紙屑検出用、投入口３５の押開き検出用などの各センサの状態変化がない場合に、省電力モードへの移行条件が成立したと判断するものとする。すなわち、マイクロコンピュータ２１ａは、シュレッダ本体３０が電源を投入されたまま長時間に亘って放置されると、制御装置２１を含む自己の電源を自動遮断することができる。
【００２５】
以上の説明において、シュレッダ本体３０の構成や動作内容は、任意に変更可能である。たとえば、シュレッダ本体３０には、カッタモータＭに連動するファンモータを組み込み、細断後の紙屑を屑カゴ３４に適切にガイドして詰め込んでもよく、マイクロコンピュータ２１ａには、カッタモータＭやファンモータの過大な連続運転を防止する保護機能を組み込むことができる。
【００２６】
【考案の効果】
以上説明したように、この考案によれば、マイクロコンピュータの電源を投入状態に保持するリレーを設けることによって、マイクロコンピュータは、省電力モードへの移行条件の成立によりリレーを自動復帰させ、不使用時の無駄な電力消費を適確に回避することができる上、従来の２個の押しボタンスイッチ以外の電源スイッチなどを設ける必要もないという優れた効果がある。
【図面の簡単な説明】
【図１】全体ブロック系統図
【図２】シュレッダ本体の構成説明図
【図３】パネルの正面図
【符号の説明】
ＰＢ１　…押しボタンスイッチ
Ｚ…リレー
Ｔ…電源トランス
ＰＨ…フォトカプラ
１０…電源制御回路
２１…制御装置
２１ａ…マイクロコンピュータ
【図１】
0003098818.tif 000003
【図２】
0003098818.tif 000004
【図３】
0003098818.tif 000005